(57)【要約】【課題】射出面側部の暗部を解消したエッジライト型面状照明装置を提供すること。【解決手段】導光体６から射出される光を拡散するための拡散シート７と前記拡散シートによって拡散された光を観察者側Ｆへの集光するためのプリズムシート１３と前記プリズムシートによって集光された光を拡散し、該プリズムシートに形成された周期構造と液晶パネルの周期構造とによるモワレ干渉縞の発生を抑制するための偏向分離シート１７と透明な材料からなる板状の物品のである導光体の側面から入射し、前記液晶パネル２に面した射出面から射出するための導光体と前記導光体から漏れてしまった光を反射し、再び前記導光体へ再帰させるための反射シート４をこの順に配置した積層体と、前記液晶パネルとを備えたエッジライト型面状照明装置３において、前記反射シートの反射率を部分的に変えた領域を形成したことを特徴とするエッジライト型面状照明装置。【選択図】図６
2015195110.tif 000002
【特許請求の範囲】
【請求項１】
光源と、平面視で矩形状の導光板と、平面視で前記導光板と同形状の反射シートとを備えて構成されるエッジライト型照明装置であって、
前記矩形状導光板の四辺のうち、互いに対向する２辺を縦辺とし、これら縦辺に直交する2辺を横辺としたとき、
前記光源は縦辺のうち少なくとも一方の縦辺のエッジに対向して配置され、その光を前記エッジから導光板に入射させる機能を有するものであり、
前記導光板は、その両面のうち一方の面を出射面とし、他方の面を光偏向面とするもので、出射面は前記光を出射させる機能を有する面であり、光偏向面は前記光を出射面に向けて偏向させる機能を有する面であり、
前記反射シートは導光板の前記光偏向面に対向して配置され、この光偏向面から洩れた光を反射して前記導光板に入射させる機能を有するものであって、
この反射シートの表面が前記横辺に近い周辺領域Ｓａと横辺から遠い中心領域Ｓｂとに区分されており、周辺領域Ｓａの反射率Ｒａが中心領域Ｓｂの反射率Ｒｂより大きいことを特徴とするエッジライト型照明装置。
【請求項２】
前記横辺の長さをＬとしたとき、前記周辺領域Ｓａが横辺からＬ×１／１０の距離の間の領域であることを特徴とする請求項１に記載のエッジライト型照明装置。
【請求項３】
前記反射率Ｒａと反射率Ｒｂの比が１．０２〜１．０５の範囲内にあることを特徴とする請求項１又は請求項２に記載のエッジライト型照明装置。
【請求項４】
前記反射率Ｒｂが９２％以上であることを特徴とする請求項１〜３のいずれかに記載のエッジライト型照明装置。
【請求項５】
請求項１〜４のいずれかに記載のエッジライト型照明装置を使用したことを特徴とする液晶表示装置。
【発明の詳細な説明】
【技術分野】
【０００１】
本発明は主にエッジライト型面状照明装置および表示装置に関するものである。
【背景技術】
【０００２】
低消費電力で動作する液晶表示装置は薄型、軽量の特徴があり、主にパーソナルコンピュータや携帯電話などを中心とした表示装置としての需要が拡大している。特に、最近の大型液晶テレビやフラットディスプレイ等においては主に、直下型方式の照明装置とエッジライト方式の照明装置とが採用されている。直下型方式のエッジライト型面状照明装置では、光源として複数のＣＣＦＬ（冷陰極管）やＬＥＤ（ＬｉｇｈｔＥｍｉｔｔｉｎｇ Ｄｉｏｄｅ）が、パネルの背面に規則的に配置される。直下方式はエリア駆動が可能であるため画面のコントラストに優れ、大型化しても輝度均一性が保たれる強みを持つ。また、液晶パネルなどの画面表示装置と光源との間には、光散乱性の強い拡散板が用いられ、光源である冷陰極管やＬＥＤが視認されないようにしている。
【０００３】
一方、エッジライト型面状照明装置は図１に示すように、複数のＣＣＦＬやＬＥＤを含む光源５が導光体６と呼ばれる透明性の板の端面に配置される。導光体６の射出面６ｂの逆の面（光偏向面６ａ）には、該導光体６の端面から入射する入射光を効率良く射出面６ｂへと導く光偏向要素１２が配置される。光偏向要素１２としては白色のインキがドット状に印刷されたものが一般的である。また、導光体６の射出面６ｂの反対側には、反射率が高い白色の反射シート４が具備されており、導光体６から漏れた光を再帰させることで、光の利用効率を向上させている。
エッジライト方式のエッジライト型面状照明装置は、直下型方式に比べて薄型化が可能であり、導光体の側部のみに光源を設置すれば良い為、使用する光源の数が減り、製造コストの面でも優れている。エッジライト方式の中でも、より高輝度にするために、あるいは均一性を高めるために、射出面側部４辺全てに光源が配置されるケースや、製造コストを考慮して射出面の長辺１辺のみに光源が配置されるケースもある。
【０００４】
導光体の長辺のみに光源があるエッジライト方式では、射出面において、入射面と直交する方向の、光源が配置されていない短辺の近傍（画面側部）から光が漏れてしまい、入射光の利用効率が下がることや、図２に示すように、画面の両側部にて、光源５が最端部まで配備されないことにより、画面中央部に比べて輝度が低い領域Ｄが生じてしまい、輝度ムラとして視認される。
【０００５】
上述の課題に対して、特許文献１では、エッジライト方式において、導光体の射出面に、入射面と直交する方向に延在する光閉じ込めレンズを配備し、入射光をレンズ内で閉じ込めつつ導光させることで、側部の光漏れを緩和し、入射光の利用効率を向上させている。ただし、光閉じ込め効果を強くしすぎると、上記のように、側部の光源が配備されていない領域に光が行き渡らず、輝度ムラが強く視認されてしまう。
【先行技術文献】
【特許文献】
【０００６】
【特許文献１】特開２０１２−２０４０４２号公報
【発明の概要】
【発明が解決しようとする課題】
【０００７】
上述の問題に対して、エッジライト型面状照明装置において、入射光の利用効率が高く、且つ、射出面において輝度ムラがなく、輝度均一性の高いエッジライト型面状照明装置が望まれている。そこで、本発明が解決しようとする課題は、光閉じ込めレンズを射出面に持つ導光体を持ち、画面の短辺側と中心部で反射率が異なる反射シートを具備したエッジライト型面状照明装置と液晶表示装置を提供することを目的とする。
【課題を解決するための手段】
【０００８】
上記の課題を解決する手段として、請求項１に記載の発明は、導光体から射出される光を拡散するための拡散シートと前記拡散シートによって拡散された光を観察者側への集光するためのプリズムシートと前記プリズムシートによって集光された光を拡散し、該プリズムシートに形成された周期構造と液晶パネルの周期構造とによるモワレ干渉縞の発生を抑制するための偏向分離シートと透明な材料からなる板状の物品のである導光体の側面から入射し、前記液晶パネルに面した射出面から射出するための導光体と前記導光体から漏れてしまった光を反射し、再び前記導光体へ再帰させるための反射シートをこの順に配置した積層体と、前記液晶パネルとを備えたエッジライト型面状照明装置において、前記反射シートの反射率を部分的に変えた領域を形成したことを特徴とするエッジライト型面状照明装置である。
【０００９】
また、請求項２に記載の発明は、導光体から射出される光を拡散するための拡散シートと前記拡散シートによって拡散された光を観察者側への集光するためのプリズムシートと前記プリズムシートによって集光された光を拡散し、該プリズムシートに形成された周期構造と液晶パネルの周期構造とによるモワレ干渉縞の発生を抑制するための偏向分離シートと透明な材料からなる板状の物品のである導光体の側面から入射し、前記液晶パネルに面した射出面から射出するための導光体と前記導光体から漏れてしまった光を反射し、再び前記導光体へ再帰させるための反射シートをこの順に配置した積層体と、前記液晶パネルとを備えたエッジライト型面状照明装置において、前記反射シートの、前記導光体の側面に配置される光源が延在する方向と平行な方向の長さＬの内、前記光源が延在する方向と直交する２つの辺からそれぞれ導光体の内側に向かってＬ×１／１０の範囲に含まれる領域と、その内側の領域で、反射率が異なることを特徴とするエッジライト型面状照明装置である。
【００１０】
また、請求項３に記載の発明は、前記光源が延在する方向と直交する２つの辺からそれぞれ導光体の内側に向かってＬ×１／１０の範囲に含まれる領域の反射率と、その内側の領域の反射率との比が、１．０２〜１．０５であることを特徴とする請求項２に記載のエッジライト型面状照明装置である。
【００１１】
また、請求項４に記載の発明は、請求項１〜３のいずれかに記載のエッジライト型面状照明装置を使用したことを特徴とする液晶表示装置である。
【発明の効果】
【００１２】
本発明のエッジライト型面状照明装置によれば、導光体の射出面に光閉じ込めレンズを付帯することで光の利用効率を上げ、且つ、反射シートの表面において、反射率を局所的に変えることで、画面の短辺部に発生する暗部を抑制することが可能となる。なお、本発明の実施形態によれば、大きく光の利用効率を下げることなく、且つ、射出面の短辺部が過剰に明るくなり、ムラが視認されることがなく上記の効果を得る。
【図面の簡単な説明】
【００１３】
【図１】本発明の実施形態によるエッジライト型面状照明装置を含む液晶表示装置を示す概略断面図である。
【図２】従来のエッジライト型面状照明装置を含む導光体の面内輝度分布の一例を示す説明図である。
【図３】光閉じ込めレンズが無い場合の導光の状況を示す概略説明図であって、（ａ）は平面図で示した一例、（ｂ）は導光体を入射面側から見た場合の導光の状況を示す概略説明図の一例、である。
【図４】本発明の光閉じ込めレンズがある場合の導光の状況を示す概略説明図であって、（ａ）は平面図で示した一例、（ｂ）は導光体を入射面側から見た場合の導光の状況を示す概略説明図の一例、である。
【図５】本発明の実施形態による導光体の形状の一例を示した概略図であって、（ａ）は斜視図、（ｂ）は導光体を光閉じ込めレンズの延在方向と直交する平面で切断した際の断面図、である。
【図６】本発明の実施形態による反射シートを液晶表示装置の観察側から見た概略平面図である。
【図７】本発明の実施形態のエッジライト型面状照明装置を液晶表示装置の観察側から見た概略図平面図に、本発明の実施例の測定点の位置を示した概略説明図である。
【発明を実施するための形態】
【００１４】
以下、本発明の実施の形態を図面に基づいて説明する。なお、図１〜図７は、本発明の実施の形態を説明する為に模式的に示した図であり、各部位の大きさや形状は理解を容易にするために適宜誇張しており、実際の縮図とは一致していない。
図１は、本発明の実施の形態における導光体６を備えるエッジライト型面状照明装置３、及び該エッジライト型面状照明装置３を具備する液晶表示装置１の概略断面図である。図１に示す液晶表示装置１は、液晶パネル２と、この液晶パネル２の光入射側に臨ませて配置されたエッジライト型面状照明装置３を備える。
液晶パネル２は、液晶層８を２つの偏光板１０、１１で挟んで構成されている。
エッジライト型面状照明装置３は、拡散シート７、プリズムシート１３、偏光分離シート１７、導光体６、及び反射シート４を液晶パネル側からこの順に配置した積層体と、導光体６の側面に配置された光源５を少なくとも含んで構成される。このエッジライト型面状照明装置３は、偏光分離シート１７を液晶パネル２に臨ませて配置される。
拡散シート７は、導光体６から射出される光を拡散する機能を有する。プリズムシート１３は拡散シート７によって拡散された光を、観察者側Ｆへと集光する機能を有する。偏光分離シート１７は、プリズムシート１３によって集光された光を拡散し、またプリズムシート１３を保護する機能、及びプリズムシート１３に形成される周期構造と液晶パネル２の周期構造とによるモアレ干渉縞の発生を抑制する機能を有する。あるいは、プリズムシート１３によって集光された光の偏光を分離する機能を有していても良い。プリズムシート１３は、例えば基材１５の表面に複数のプリズム１６が形成されたプリズムシート１３が一般的に良く用いられる。導光体６は、透明な材料からなる板状の物品であり、その板状の物品の側面に光源からの光を入射し、液晶パネル２側に射出する機能を有する。
また、偏光分離機能を有する偏光分離シート１７としては、ＤＢＥＦ（住友スリーエム社登録商標）に代表されるような、一方の偏光を透過し、もう一方の偏光を反射する偏光分離シートが一般的によく用いられる。
【００１５】
導光体６の観察者側Ｆに面した面が射出面６ｂであり、射出面６ｂとは反対側の面には光偏向面６ａが形成されている。光偏向面６ａには、光源５からの入射光を射出面６ｂ側へと偏向する光偏向要素１２が形成されている。光偏向要素１２としては、ドット状の構造物、例えば凹型または凸型のマイクロレンズ形状や角錐形状、円錐形状等の構造物が挙げられる。光偏向要素１２による射出面６ｂ側への光偏向量は、単位面積当りの光偏向要素１２の占める面積が大きいほど多くなるため、輝度を均一にするためには光偏向要素１２の密度を調整する必要がある。
光偏向要素１２は製造コストや製造効率が有利なことから印刷によって形成した白色ドットが一般的であるが、白色ドット以外にも、光取り出し効率を向上させるために、マイクロレンズをインクジェット法によって導光体６の光偏向面６ａに形成する方法や、レーザーアブレーション法によって光偏向要素１２を形成する方法などが提案されている。上記の方法は白色インキと違い、導光体６の樹脂と空気との屈折率差による反射、屈折、透過を利用しているため、光吸収がほとんど生じない。そのため、白色インキに比べて光取り出し効率の高い導光体６を得ることができる。
【００１６】
そして、導光体６の射出面６ｂには、光閉じ込めレンズ１１が形成される。光閉じ込めレンズ１１は、射出面６ｂ上に規則的に配置されている。光閉じ込めレンズ１１はレンチキュラー形状や台形プリズム、多角プリズム、または側面が湾曲したプリズムレンズ等様々な形状を取り得る。
【００１７】
次に、光閉じ込めレンズ１１の機能について図２を用いて説明する。
図３（ａ）は光閉じ込めレンズ１１を有さない導光体６の平面図である。光閉じ込めレンズ１１が無い場合、光源５を構成する点光源から射出された光は入射面６ｃから導光体６へ入射し、導光体６の内部を扇状に広がりながら導光する。図３（ｂ）は導光体６を、入射面６ｃ側から見た場合の進路を示す。光は射出面６ｂと光偏光面６aで内部反射を繰り返し、広がりながら、伝播する。
【００１８】
一方、図４（ａ）は光閉じ込めレンズがある導光体６の平面図である。光閉じ込めレンズがある場合、光は光閉じ込めレンズに反射されて向きが変えられるので、光閉じ込めレンズが無い場合と比べて略直線状に伝播する。図４（ｂ）は導光体６を、入射面６ｃ側から見た場合の進路を示す。入射面６ｃから入射した光は、光閉じ込めレンズ１１の内側面によって入射面６ｃと平行な方向に対する向きを変えながら反射を繰り返して導光する。このように、光閉じ込めレンズを配置すると、画面側部における光の漏れを抑制し、入射光の利用効率を向上させることができる。
【００１９】
本発明の導光体６は、ＰＭＭＡ（ポリメチルメタクリレート）に代表されるアクリル樹脂、またはＰＥＴ（ポリエチレンテレフタレート）、ＰＣ（ポリカーボネート）、ＣＯＰ（シクロオレフィンポリマー）、ＰＡＮ（ポリアクリロニトリル共重合体）、ＡＳ（アクリロニトリルスチレン共重合体）等の透明樹脂を用いて、当該技術分野では良く知られている押出成形法、射出成型法、あるいは熱プレス成型法によって、光偏向要素１２、及び光閉じ込めレンズ１１を一体で成形する。または、平板の導光体６を上述した製法で成形した後、光偏向要素１２、及び光閉じ込めレンズ１１を印刷法や、ＵＶ硬化樹脂、放射線硬化樹脂などを用いて形成しても良い。
【００２０】
次に、光源５としては点光源が挙げられ、代表的な点光源としてＬＥＤが挙げられる。ＬＥＤ光源はＣＣＦＬと比べて小型であり、消費電力が半減し、コストの面でも優位であるため、小型の液晶テレビやディスプレイの光源として一般的に使用されている。ＬＥＤとしては白色ＬＥＤや光の３原色である赤色、緑色、青色のチップで構成されるＲＧＢ−ＬＥＤ等が挙げられる。
なお、光源５の周囲には、封止樹脂、封止樹脂をせき止めるためのダム構造、配線等の周辺構造を形成する必要があるため、光源５を入射面６ｃの末端まで配置することができない。そのため、射出面６ｂの端部では入射光が少ない状態となり、上記のように光閉じ込めレンズ１１が射出面６ｂに配備されていると、光が射出面６ｂの光閉じ込めレンズが延在する長手方向に直交する方向の両側の端部に行き渡らず、その部位の輝度が低くなってしまい、図６のような暗部Ｄが発生してしまう。
【００２１】
次に、反射シート４に関して説明する。反射シート４は導光体から漏れてしまった光を反射し、再び導光体へ再帰させる役割を担う。代表的な反射シートとしては、ポリマーの中に、平均粒径０．１〜０．５μｍの酸化チタン等のフィラーと気泡を内填させた構造となっている。（ここで平均粒径とは、動的光散乱法によって測定した体積平均粒径を指す。）この気泡の存在により、反射シートへ入射した光が、ポリマーと空気との界面で反射を起こし、高い反射率を実現している。
上述の暗部Ｄに対して、本発明における反射シート４では、その反射率を部分的に変えた領域を形成することによって、輝度ムラを抑制することが可能であり、この場合は図６のような形態を取る。導光体と同等の大きさと形状を持つ反射シート４において、光源５が延在する方向と平行な方向の長さＬの内、導光体の側面に配置される光源５が延在する方向と直交する２つの辺からそれぞれ導光体の内側に向かってＬ×１／１０の範囲に含まれる領域Ｓａと、その内側の領域Ｓｂとで、反射率の異なる材料を用いることで反射率を調整し、輝度ムラの抑制をすることが可能である。
輝度均一性を高めるための手段として、反射シート４にミラー等の反射率が高い部材を含んだ材料を加えることにより、反射率を上げる方法と、領域Ｓｂに対して、白色に数％のグレー系の顔料を加えることで、反射率を下げる方法が考えられ、どちらの手段を講じてもよい。
【００２２】
なお、領域Ｓａと領域Ｓｂの反射率をそれぞれ、Ｒａ、Ｒｂとした時、ＲａとＲｂの割合が波長４５０ｎｍと波長５５０ｎｍにおいて、１．０２≦（Ｒａ／Ｒｂ）≦１．０５の範囲内であるとする。なお、本発明の実施の形態で言う反射率とは、リファレンスの反射板に対する相対的な光反射率を言う。また、リファレンスとして、酸化アルミニウムの微粉末を焼結して固めたアルミナの白板を用いた。Ｒａ／Ｒｂの値が大きすぎると、暗部Ｄの領域が明るくなりすぎてしまい輝度ムラが生じ、小さすぎると得られる輝度ムラを補正する効果が小さい。
また、波長４５０ｎｍと波長５５０ｎｍにおいて、Ｒｂ≧９２％とする。上記の範囲内であれば、射出面の積算光量を大きく損なうことなく、輝度均一性を向上させることができる。
また、液晶表示装置の画面の両側部の暗部に対応して導光体の領域Ｓａと領域Ｓｂに領域分けを行っているが、さらに細かく領域分けを行い反射シートの反射率を調整することや、射出面において入射面と逆側の側部付近に領域を作っても良い。ただし、各領域の最小の反射率が９２％以上であることと、隣接する領域の反射率の割合が上記の範囲内であるものとする。
【００２３】
液晶パネル２は、画素単位で光を透過／遮光して画像を表示する素子であることが好ましい。画素単位で光を透過／遮光して画像を表示するものであれば、本実施形態のエッジライト型面状照明装置３により、観察者側Ｆへの輝度が向上され、光強度の視角度依存性が低減され、さらに、光偏向要素１２の視認性が低減された光を有効に利用して、画像品位の高い画像を表示させることができると共に、製造コストを低減することができる。
【００２４】
なお、本発明のエッジライト型面状照明装置３は、室内等を明るくするエッジライト型面状照明装置として使用することができる。また、広告看板や案内看板のような液晶表示装置以外の表示装置のエッジライト型面状照明装置として用いることも可能である。例えば、単独のエッジライト型面状照明装置として使用することが可能である。
エッジライト型面状照明装置は、拡散シート７、導光体６、及び反射シート４の順に配置した積層体と、拡散シート７上に表面保護シートを備えることが可能である。表面保護シートは、エッジライト型面状照明装置表面の傷つき等を防止するために設けられる。表面保護フィルムとしては、例えば、ポリエチレンテレフタレートフィルム等の基材フィルム上に電離放射線で硬化する電離放射線硬化型材料を硬化して形成されるハードコート層を備えるハードコートフィルムを例示することができる。電離放射線としては、電子線、紫外線を用いることができ、電離放射線硬化型材料としては炭素―炭素不飽和に二重結合を備えるアクリル系材料を例示することができる。
本発明のエッジライト型面状照明装置３は、シート状とすることができ、エッジライト型面状照明装置３に可撓性を付与することもできる。また、反射シート４を取り除くことにより両面発光エッジライト型面状照明装置とすることもできる。シート状のエッジライ
ト型面状照明装置は、壁に貼り付けることもでき取り付け施工が容易である。
【００２５】
上記実施形態および変形例の説明では、液晶パネル２と導光体６との間に、拡散シート７、プリズムシート１３を有する場合の例で説明したが、これは一例であって、他の構成も可能である。
【００２６】
例えば、液晶パネル２と導光体６との間に、透光性発光部材を配置することもできる。
透光性発光部材は、透明樹脂に発光材料を分散させたシート状の構成を例示することができる。
発光材料としては、光源により励起され、異なる発光波長で発光する材料であればよく、例えばアルカリ土類元素Ｃａ，Ｓｒ，ＢａやＳｃ，Ｙ，Ｌａなどの化合物からなる蛍光材料や燐光材料、蓄光材料やＣｄＳｅ、ＩＩＩ族〜Ｖ族元素の化合物からなる量子ドットなどを挙げることが出来る。
発光材料として、蓄光を使用することで、ＬＥＤが消灯した後も、一定時間発光するエッジライト型面状照明装置とすることが可能である。また、光源として発光スペクトルが狭帯域な青色ＬＥＤを用い、発光材料として量子ドットを使用することで、色再現性に優れた画像表示装置することが可能である。
【実施例】
【００２７】
以下に示す導光体６と反射シート４およびエッジライト型面状照明装置３を作製した。
導光体は、射出面が３００ｍｍ×１７５ｍｍの１３．３インチサイズであり、厚みが０．５５ｍｍの略直方体形状とした。導光体の光偏光面に形成される光偏向要素を凹型のマイクロレンズ形状とし、入射面に近い領域はマイクロレンズが占める面積を小さくし、入射面から離れるほどマイクロレンズが占める面積が大きくなるよう、マイクロレンズの密度をパターンニングしてある。なお、マイクロレンズは底面が楕円形状であり、長軸幅が９０μｍ、短軸幅が７０μｍ、高さを１０μｍとし、長軸方向と入射面が平行になるように六方配列とした。また、導光体の射出面に形成される光閉じ込めレンズは、かまぼこ形状のレンチキュラーレンズとし、レンズの高さが３．６μｍ、ピッチを７０μｍとして、入射面と垂直な方向へ延在させている。
なお、導光体は、アクリル樹脂の押出し成形により、ロール金型に成形したマイクロレンズのパターンと、光閉じ込めレンズのパターンをアクリル樹脂表面に転写することで一体作製した。
反射シートは、厚さ２００μｍ程度の白色反射シートに対して、入射面と垂直な方向の辺から、入射面平行方向に３０ｍｍの領域以外の範囲において、長方形状に印刷を施す。使用するインクは白色に対して、黒色が数％以下のグレー系の２原色を材料とし、このインクの濃度によって得られる輝度の変化率が異なることとなる。
比較例１〜４および実施例１における、反射シートの各パラメータを表１に示す。
【表１】
2015195110.tif 000003
以下に実施例１〜４および比較例１の特徴を明記する。なお、反射率の測定は、分光光度計により４５０ｎｍと５５０ｎｍの波長で測定を行い、酸化アルミニウムの微粉末を焼結して固めたアルミナセラミックの白板の拡散反射率を１００％として、その反射率に対する相対値で算出した。
（実施例１）
全てのパラメータが本実施形態の有効範囲に収まる反射シートを持つ、エッジライト型面状照明装置を作製した。
（実施例２）
反射率Ｒｂが本実施形態の有効範囲より低く、反射率の割合（Ｒａ／Ｒｂ）、および領域Ｓａの範囲が本実施形態の有効範囲に収まる反射シートを持つ、エッジライト型面状照明装置を作製した。
（実施例３）
反射率の割合（Ｒａ／Ｒｂ）が本実施形態の有効範囲より狭く、反射率Ｒｂ、および領域Ｓａの範囲が本実施形態の有効範囲に収まる反射シートを持つ、エッジライト型面状照明装置を作製した。
（実施例４）
領域Ｓａが本実施形態の範囲より広く、反射率の割合（Ｒａ／Ｒｂ）、および反射率Ｒｂが本実施形態の有効範囲に収まる反射シートを持つ、エッジライト型面状照明装置を作製した。
（比較例１）
反射率が均一であり、Ｒｂが本実施形態の有効範囲内に収まる反射シートを持つ、エッジライト型面状照明装置を作製した。
そして、上記の特徴を持つ照明装置において、導光体の射出面側に拡散シート、プリズムシート、偏光分離シートの順番で光学シートを積層して、エッジライト型面状照明装置を作製した。
【００２８】
上記のエッジライト型面状照明装置を使用し、エッジライト型面状照明装置を観察者側Ｆから見た時に、暗部Ｄが視認されるか否かのムラの確認と、輝度均一性の評価については以下の方法で実施した。得られた結果を表２に示す。
＜視認による輝度ムラの確認＞
エッジライト型面状照明装置の最表面から観察者側Ｆに距離１００ｃｍ離れた位置に視点を置き、エッジライト型面状照明装置を眺めた時に、輝度ムラの確認を行った。表２では、ムラが視認されなければ○、視認されれば×で表記している。
＜輝度評価＞
射出面において、図７に示す１３点の測定点１８の輝度値を、超低輝度分光放射計（ＳＲ−ＵＬ２、株式会社トプコン製）を使用し、測定を実施した。測定点１８は射出面の中心及び、中心を基準とし短辺方向に４分割した線と、導光体の射出面の短辺方向端部から１０ｍｍ、４０ｍｍの位置を通り短辺と平行な線との交点の１３点である。
得られた輝度値の結果から、輝度の評価を以下の手順で行う。
（評価（１））
射出面の中心以外の測定点において測定された輝度値の中で、最小の輝度値を中心の測定点で測定された輝度値で割り算し、その結果が０．６０以上であれば○、以下であれば×とした。
（評価（２））
前記測定点で得られた輝度を足し合わせた積算輝度値を、実施例１を基準として、実施例２〜４、及び比較例１にて実施例１との比率を算出し、その値が０．９５以上であれば○、以下であれば×とした。
【表２】
2015195110.tif 000004
【００２９】
目視評価及び測定結果より、実施例１は目視で見て全体が明るく、ムラが視認されなかった為、良好な結果を得た。また、評価（１）の結果より、輝度均一性は良好な数値を示した。
実施例２は、目視評価ではムラが視認されず、評価（１）の結果も良好な数値を示し、ムラが改善されていた。ただし、全体的に反射シートの反射率を下げたため、評価（２）において、０．９５を下回る結果となった。
実施例３は、反射シートによる輝度均一性に対する改善効果が強すぎた為、従来の暗部は改善したものの、画面側部に明部が視認された。ただし、評価（１）は０．６０以上の数値であり、評価（２）も良好な数値を示した。
実施例４は、本来暗部でない領域まで輝度向上の効果が得られたため、画面側部から４０ｃｍの測定点付近に入射面と直交する方向へ筋状の明部が視認された。ただし、評価（１）は０．６０以上の数値であり、評価（２）も良好な数値を示した。
比較例１では、画面側部に暗部が視認され、評価（１）は０．６０を下回る結果となっ
た。また、評価（２）に関しては、良好な数値を得た。
以上の結果より、実施例１〜４の様に、本実施形態に沿った照明装置では比較例に比べて、輝度均一性の向上が見られた。また、面内ムラの目視評価や、積算光量の結果を考慮すると、全てのパラメータが本実施形態の有効範囲に収まることが望ましいとの結果を得た。
【符号の説明】
【００３０】
１…液晶表示装置
２…液晶パネル
３…エッジライト型面状照明装置
４…反射シート
５…光源
６…導光体
６ａ…光偏光面
６ｂ…射出面
６ｃ…入射面
７…拡散シート
８…液晶層
９…偏光板
１０…偏光板
１１…光閉じ込めレンズ
１２…光偏向要素
１３…プリズムシート
１４…基材
１５…基材
１６…プリズム
１７…偏光分離シート
１８…測定点
Ｓａ…光源が配置された導光体の側面と隣接する２つの側面に対応する反射シートの辺から、光源が延在する方向における導光体の幅の１／１０の長さまでの反射シートの領域
Ｓｂ…反射シートにおけるＳａ以外の領域
Ｄ…暗部
Ｆ…観察者側
【図１】
2015195110.tif 000005
【図２】
2015195110.tif 000006
【図３】
2015195110.tif 000007
【図４】
2015195110.tif 000008
【図５】
2015195110.tif 000009
【図６】
2015195110.tif 000010
【図７】
2015195110.tif 000011